(57)【要約】【課題】  合成樹脂製の遊技盤を成形するための金型の製造コストを低減する。【解決手段】  成形金型１は、表示装置の画面を臨ませるための表示窓１２が設けられた遊技盤１０を成形するための金型であって、表示窓１２を形成するための駒４を交換可能である。表示窓１２の形状は機種毎に異なるが、遊技盤１０の外形形状は、同じ遊技機メーカーのものであれば機種毎では異ならない。成形金型１は駒４を交換可能であるから、Ａ社の遊技盤１０の外形形状に合わせて固定型２及び可動型３を製造しておいて、表示窓１２を形成するための駒４を機種毎に変更すれば、Ａ社の遊技盤１０については機種毎に駒４を製造するとしても、機種毎に固定型２及び可動型３を製造する必要がなくなる。【選択図】図１
2008000545.tif 000002
【特許請求の範囲】
【請求項１】
表示装置の画面を臨ませるための開口が設けられた遊技盤を成形するための金型であって、前記開口を形成するための駒を交換可能である
ことを特徴とする遊技盤成形金型。
【請求項２】
表示装置の画面を臨ませるための開口が設けられた遊技盤を金型内で成形するにあたって、
前記開口を形成するための駒を交換可能な前記金型を使用し、
前記形成される開口の形状に対応した形状の前記駒が取り付けられた前記金型内に溶融状態の合成樹脂を充填して固化させる
ことを特徴とする遊技盤の成形方法。
【発明の詳細な説明】
【技術分野】
【０００１】
本発明は、パチンコ機等の弾球遊技機の技術分野に属し、詳細には弾球遊技機に装着される遊技盤に関する。
【背景技術】
【０００２】
パチンコ機等の弾球遊技機は、入賞装置及び遊技釘が取り付けられた遊技盤を必須としている。
合成樹脂製の遊技盤を製造する方法としては、射出成形（例えば特開平１１−１５６００６号公報；特許文献１）や押出成形した合成樹脂板に切削加工を施す方法（例えば特開２００５−３１２４７１号公報；特許文献２）が知られている。
【特許文献１】特開平１１−１５６００６号公報
【特許文献２】特開２００５−３１２４７１号公報
【発明の開示】
【発明が解決しようとする課題】
【０００３】
しかしながら、特許文献２の方法では、入賞装置等を取り付けるための貫通孔を形成するために、例えばルータ加工装置を用いて合成樹脂板を切削するので、材料の歩留まりが良くないという問題があった。
【０００４】
一方、特許文献１の方法は材料の歩留まりでは有利であるが、弾球遊技機の機種毎に金型を製造しなければならないという問題があった。
【課題を解決するための手段】
【０００５】
請求項１記載の遊技盤成形金型は、表示装置の画面を臨ませるための開口が設けられた遊技盤を成形するための金型であって、前記開口を形成するための駒を交換可能であることを特徴とする。
【０００６】
表示装置の画面を臨ませるために遊技盤に設けられる開口の形状は、弾球遊技機の機種毎に異なるのが普通である。一方、遊技盤の外形形状は、遊技機メーカー毎に異なることがあっても、同じ遊技機メーカーのものであれば機種毎では異ならない（同じである）。
【０００７】
請求項１記載の遊技盤成形金型は、表示装置の画面を臨ませるための開口を形成するための駒を交換可能であるから、例えばＡ社の遊技盤の外形形状に合わせて金型を製造しておいて、表示装置の画面を臨ませるための開口を形成するための駒を機種毎に変更すればよく、このＡ社の遊技盤については機種毎に駒を製造するとしても、機種毎に金型を製造する必要がなくなる。
【０００８】
請求項２記載の遊技盤の成形方法は、表示装置の画面を臨ませるための開口が設けられた遊技盤を金型内で成形するにあたって、前記開口を形成するための駒を交換可能な前記金型を使用し、前記形成される開口の形状に対応した形状の前記駒が取り付けられた前記金型内に溶融状態の合成樹脂を充填して固化させることを特徴とする。
【０００９】
この成形方法で使用される金型は請求項１記載の遊技盤成形金型であるから、上述した通りの効果が得られる。
【発明を実施するための最良の形態】
【００１０】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、成形金型１は固定型２と可動型３とで構成される。なお、図１は成形金型１の概要を模式的に示しており（図１（ａ）は開型状態、図１（ｂ）は閉型状態）、ゲート、エジェクタピン等の詳細構造は図示を省略してある。
【００１１】
可動型３には駒４が取り付けられる。
駒４は、可動型３の本体部３ａに設けられた駒嵌着部５に駒４の嵌着凸部６を嵌合させてあり、嵌着凸部６と可動型３の本体部３ａとは図示しない連結ピンにて連結されている。この連結ピンは抜き差しが可能で、連結ピンを嵌着凸部６から抜き取れば駒４を可動型３の本体部３ａから駒４を取り外すことができる。つまり、駒４を着脱、交換可能になっている。
【００１２】
この成形金型１は、図３、４に例示するような、遊技盤１０の成形に用いられるものであって、駒４は遊技盤１０に設けられる表示窓１２（図示しない表示装置の画面１００を臨ませるための開口）を形成するために成形金型１に装着される。従って、駒４の実効部７の外周形状は表示窓１２の内周形状に対応している。
【００１３】
この成形金型１を閉型して、固定型２と可動型３との間に形成されたキャビティ８に溶融状態の合成樹脂を射出、充填して冷却、固化させれば、図２に例示するように遊技盤１０の外形で表示窓１２が設けられた元板１０ａが成形される。  但し、図３に示すとおり、この元板１０ａには、入賞装置等のための開口は形成されていない。このため、元板１０ａを成形金型１から取り出した後に、機械加工によって入賞装置等のための開口１３ａ、１４ａ、１５ａ、１６ａや、アウト穴１７を形成して、図３に示す遊技盤１０とする。また、同じく機械加工にて遊技釘等を打ち付けるための下穴及び入賞装置等を取り付けるためのビス用の下穴（いずれも図示略）も形成する。
【００１４】
次に、その遊技盤１０に図４に示される遊技釘１８及び風車１９を打ち付け、またガイドレール２０のレールピン２０ａを打ち付ける。
そして、開口１３ａを用いてチューリップ式の可変入賞装置２１と始動入賞口２２とを備える複合入賞装置１３を、開口１４ａを用いて通過口１４を、開口１５ａ、１６ａを用いて普通入賞口１５とアタッカー式の大入賞口１６とが共通のベース板２３に組み付けられた入賞口ユニット２４をそれぞれ取り付ける。また、表示窓１２の上辺沿いのガード庇２５や表示窓１２の下辺沿いの窓下装飾材２６も取り付ける。
【００１５】
こうして、図４に示すとおりの遊技盤１０が完成する。なお、遊技盤１０の背後には、その画面を表示窓１２に臨ませて表示装置（図示略）が装着される。
本実施例の成形金型１は、表示装置の画面を臨ませるための表示窓１２が設けられた遊技盤１０を成形するための金型であって、表示窓１２を形成するための駒４を交換可能である。
【００１６】
表示窓１２の形状は、弾球遊技機の機種毎に異なるのが普通であるが、遊技盤１０の外形形状は、遊技機メーカー毎に異なることがあっても、同じ遊技機メーカーのものであれば機種毎では異ならない（同じである）。
【００１７】
成形金型１は駒４を交換可能であるから、例えばＡ社の遊技盤１０の外形形状に合わせて固定型２及び可動型３を製造しておいて、表示窓１２を形成するための駒４を機種毎に変更すればよく、このＡ社の遊技盤１０については機種毎に駒４を製造するとしても、機種毎に固定型２及び可動型３を製造する必要がなくなる。
【図面の簡単な説明】
【００１８】
【図１】実施例の成形金型の概要説明図。
【図２】実施例の成形金型によって成形される元板の正面図。
【図３】実施例の遊技盤（部品装着前）の正面図。
【図４】実施例の遊技盤（部品装着後）の正面図。
【符号の説明】
【００１９】
１・・・成形金型、
２・・・固定型、
３・・・可動型、
４・・・駒、
１０・・・遊技盤、
１０ａ・・・元板、
１２・・・表示窓。
【図１】
2008000545.tif 000003
【図２】
2008000545.tif 000004
【図３】
2008000545.tif 000005
【図４】
2008000545.tif 000006